(57)【要約】  【課題】部品点数の削減及び執務スペースの有効活用を図るとともに、取扱性に優れた袋体保持具を提供する。  【解決手段】開口した袋体３の開口縁部（筒部３ａ）を保持する保持具本体１１と、収納空間２Ｓを包囲し得る側板２１１、仕切板２１５に係合可能な係合部１１２ｃとを備えた袋体保持具１とした。【選択図】図１
2006199472.tif 000002
【特許請求の範囲】
【請求項１】
収納空間に袋体を開口した状態で備え付けるための袋体保持具であって、
開口した前記袋体の開口縁部を保持する保持具本体と、前記収納空間を包囲し得る壁部材に直接的又は間接的に係合可能な係合部とを具備していることを特徴とする袋体保持具。
【請求項２】
前記収納空間に備え付けた状態において、前記保持具本体と前記壁部材との間に前記袋体の開口縁部近傍部位が介在するようにしている請求項１記載の袋体保持具。
【請求項３】
前記保持具本体が、前記収納空間の平面視形状より若干小さい略相似形の平面視形状を有する請求項１又は２記載の袋体保持具。
【請求項４】
前記係合部が、前記壁部材に設けた係合爪に引っ掛かり得る引掛部である請求項１、２又は３記載の袋体保持具。
【請求項５】
前記引掛部が前記保持具本体の一部を切り欠いて形成したものである請求項４記載の袋体保持具。
【請求項６】
前記収納空間の前後に一対にして配される第１フレーム部材と、前記収納空間の左右に一対にして配される第２フレーム部材とを平面視略矩形状に組み付けてなるものである請求項１、２、３、４又は５記載の袋体保持具。
【請求項７】
前記保持具本体の平面視形状を調整可能な平面形状調整手段を備えている請求項１、２、３、４、５又は６記載の袋体保持具。
【請求項８】
前記袋体がゴミ収集用袋である請求項１、２、３、４、５、６又は７記載の袋体保持具。
【請求項９】
収納庫の収納空間に開口部を開口した状態で配される袋体を用いて所定の収容物を収集可能な収集装置であって、
前記袋体と、前記請求項１乃至８記載の袋体保持具と、前記収納空間を全包囲又は一部開放した状態で包囲し且つ前記袋体保持具が直接的又は間接的に取り付けられる壁部材とを具備してなり、
前記袋体保持具を壁部材に係合させる係合手段と、当該係合手段を利用して前記袋体保持具を前記壁部材に取り付ける高さ位置を調整可能な取付高さ位置調整手段とを備えていることを特徴とする収集装置。
【請求項１０】
前記係合手段が、前記袋体保持具又は前記壁部材の一方に設けた係合爪と、他方に設けられ且つ前記係合爪に引っ掛かり得る引掛部とから構成したものである請求項９記載の収集装置。
【請求項１１】
前記係合手段を構成する係合爪が前記壁部材に形成したフック孔に係合可能なものであり、前記壁部材の高さ方向に沿って前記フック孔を所定のピッチで複数形成し、前記取付高さ調整手段が、前記係合爪を前記複数のフック孔の何れかに選択的に取り付けることにより前記壁部材に対する前記袋体保持具の取付高さ位置を調整可能にしたものである請求項９又は１０記載の収集装置。
【請求項１２】
前記係合爪が、前記フック孔を利用して収納空間を所定の高さ位置で仕切り得る棚板を取り付ける際に用いるものである請求項１１記載の収集装置。
【発明の詳細な説明】
【技術分野】
【０００１】
本発明は、例えばゴミ袋等の袋体を開口した状態で所定の収納空間に備え付けるための袋体保持具、及びこの袋体保持具を用いた収集装置に関するものである。
【背景技術】
【０００２】
従来より、例えばオフィス等において、収納庫の収納空間にボックス型のゴミ収集容器（いわゆるゴミ箱）を設置し、このゴミ収集容器の内面側を覆うようにゴミ袋を開口した状態で取り付けることにより、収納庫の収納空間を利用してゴミを収集できるようにしたものが考えられている（例えば特許文献１参照）。また、前記ゴミ収集容器を用いない態様として、ボックス型の袋体を保持する専用のフレーム構造体を備えたゴミ収集装置も知られている(例えば特許文献２参照)。具体的に特許文献２記載のフレーム構造体は、前記袋体を支持する支持部を上端に設けた前脚と、同じく支持部を上端に設けた後脚と、これら前脚及び後脚を連結する連結リンク部とを備えたものである。
【特許文献１】特開２００３−３２５２５０号公報（図１及び図２等参照）
【特許文献２】特開２０００−２５９０４号公報（図１及び図２等参照）
【発明の開示】
【発明が解決しようとする課題】
【０００３】
しかしながら、特許文献１記載のものは、専用のボックス型のゴミ収集容器が必須であるため、例えば広い収納空間に対応する大型のゴミ収集容器を設置した場合には、その大型化ゆえ取扱性に優れず、またコストアップにもつながり、実用性に乏しいものとなる。加えて、ゴミ収集容器を収納庫の底板又は棚板に単に載置しているだけであるため、安定性に劣り、不意にゴミ収集容器が倒れる虞もある。一方、特許文献２記載のものは、前述したフレーム構造体を備えたものであるため、構造の複雑化及び部品点数の増加を招来するとともに、このようなフレーム構造体を備えたゴミ収集装置を設置する専用のスペースを確保する必要があり、このようなゴミ収集装置をオフィス等に設置した場合には執務スペースが不要に狭められるという不具合が生じる。
【０００４】
本発明は、このような課題に着目してなされたものであって、主たる目的は、部品点数の削減及び執務スペースの有効活用を図るとともに、取扱性に優れた袋体保持具、及びこの袋体保持具を用いた収集装置を提供することにある。
【課題を解決するための手段】
【０００５】
すなわち、本発明の袋体保持具は、収納空間に袋体を開口した状態で備え付けるためのものであって、開口した前記袋体の開口縁部を保持する保持具本体と、前記収納空間を包囲し得る壁部材に直接的又は間接的に係合可能な係合部とを具備していることを特徴とする。
【０００６】
ここで、「壁部材」とは、例えば収納庫における側板や背板等、収納空間を他の空間と仕切るあらゆる部材を含む概念である。また、「収納空間を包囲し得る」とは、収納空間を完全に包囲する、あるいは収納空間を一部（一方向或いは複数の方向に）開放した状態で包囲する態様も含む。
【０００７】
このようなものであれば、保持具本体に袋体の開口縁部を保持させた状態で、係合部を介して袋体保持具を壁部材に係合させることにより、袋体を開口した状態で収納空間に配置することができ、しかも、従来のものと比較して、ボックス型のゴミ収集容器のような専用の什器が不要であり、また複雑な立体形状に組み付けたフレーム構造体も不要であり、取扱性に優れ、部品点数の削減及びコストダウンを有効に図ることができる。また、係合部を介して袋体保持具を壁部材に係合させているため、収納空間内に安定した状態で設置することができ、不意に袋体保持具が壁部材から外れることを防止することができる。しかも、この係合部の係合状態を解除して袋体保持具を袋体と共に収納空間から取り出すことにより袋体に収容されている収容物（ゴミ、郵便物、書類等）を袋体から廃棄、分別、或いは他の収納スペースへの移動を容易に行うことできる。
【０００８】
特に、前記収納空間に備え付けた状態において、前記保持具本体と前記壁部材との間に前記袋体の開口縁部近傍部位が介在するようにしていれば、袋体保持具と壁部材とが直接干渉することを回避し、使用時や袋体保持具の着脱時に生じる衝撃音を抑制し、相互の磨耗損傷を防止することが可能である。
【０００９】
さらに、前記保持具本体が、前記収納空間の平面視形状より若干小さい略相似形の平面視形状を有するものであれば、袋体保持具を収納空間内に備え付けた場合にデッドスペースが生じ難く、収納空間を効率良く利用することができる。
【００１０】
前記係合部の具体的な実施態様としては、前記壁部材に設けた係合爪に引っ掛かり得る引掛部が挙げられる。ここで、壁部材に設けた係合爪は、壁部材に一体に設けたもの又は壁部材に着脱可能に設けたもの何れであっても構わない。この場合、加工容易性の観点からは、前記引掛部が前記保持具本体の一部を切り欠いて形成したものであることが好ましい。
【００１１】
一方、製造コスト削減の観点からは、袋体保持具が、前記収納空間の前後に一対にして配される第１フレーム部材と、前記収納空間の左右に一対にして配される第２フレーム部材とを平面視略矩形状に組み付けたものであることが望ましい。このようなものであれば、平面視略矩形状のフレームを一体成形する態様と比較して、大型の金型を製作する手間を省くことができ、製造コストを有効に抑えることが可能である。
【００１２】
殊に、種々の収納空間又は袋体に柔軟に対応させて使用することができるようにするには、前記保持具本体の平面視形状を調整可能な平面形状調整手段を備えていればよい。このようにすれば、収納空間の大きさや袋体のサイズに応じて保持具本体のサイズを適宜変更することができ、種々の使用態様に柔軟に対応することができる。
【００１３】
前記袋体の具体的な一例としてはゴミ収集用袋が挙げられる。
【００１４】
また、前記袋体保持具を用いた本発明の収集装置は、収納庫の収納空間に開口部を開口した状態で配される袋体を用いて所定の収容物を収集可能なものであって、前記袋体と、前記袋体保持具と、前記収納空間を全包囲又は一部開放した状態で包囲し且つ前記袋体保持具が直接的又は間接的に取り付けられる壁部材とを具備してなり、前記袋体保持具を壁部材に係合させる係合手段と、この係合手段を利用して前記袋体保持具を前記壁部材に取り付ける高さ位置を調整可能な取付高さ位置調整手段とを備えていることを特徴とする。
【００１５】
このようなものであれば、上述した袋体保持具によって得られる効果を得られるとともに、係合手段により袋体保持具を壁部材に安定支持させることができ、しかも、取付高さ位置調整手段により使用態様に対応させて袋体保持具の取付高さ位置を適宜調節することができ、実用性に優れたものとなる。
【００１６】
前記係合手段の具体的な実施態様としては、前記袋体保持具又は前記壁部材の一方に設けた係合爪と、他方に設けられ且つ前記係合爪に引っ掛かり得る引掛部とから構成したものが挙げられる。
【００１７】
さらに、好適な実施態様としては、前記係合手段を構成する係合爪が前記壁部材に形成したフック孔に係合可能なものであり、前記壁部材の高さ方向に沿って前記フック孔を所定のピッチで複数形成し、前記取付高さ調整手段が、前記係合爪を前記複数のフック孔の何れかに選択的に取り付けることにより前記壁部材に対する前記袋体保持具の取付高さ位置を調整可能にしたものが考えられる。このようなものであれば簡単な構造を採用して係合手段及び取付高さ位置調整手段を構成することができ、収集装置全体の構造簡素化に資する。
【００１８】
特に、前記係合爪が、前記フック孔を利用して収納空間を所定の高さ位置で仕切り得る棚板を取り付ける際に用いるものであれば、既存のフック孔及び係合爪を利用して袋体保持具を壁部材に取り付けることができ、汎用性に優れる。
【発明の効果】
【００１９】
以上説明したように本発明によれば、従来のものと比較して、部品の簡素化及び取扱性の向上を有効に図ることができるとともに、収集装置を導入するコストを大幅に抑えることができる。しかも、収納空間内に安定した状態で設置することができ、突発的に袋体保持具が外れるという虞を解消することができる。さらに、係合部の係合状態を解除して袋体保持具を袋体と共に収納空間から取り出すことにより袋体に収容されている収容物を袋体から廃棄、分別、或いは他の収納スペースへの移動を容易に行うことできる。加えて、本発明の収集装置をオフィス等において既に設置されている収納庫に適用することにより、執務スペースが不要に狭められることなく有効に活用することができる。
【発明を実施するための最良の形態】
【００２０】
以下、本発明の一実施形態を、図面を参照して説明する。
【００２１】
本実施形態に係る袋体保持具１は、図１及び図２に示すように、必要に応じて収納庫２の収納空間２Ｓに袋体３を開口した状態で備え付けるためのものである。
【００２２】
収納庫２は、所定の収納空間２Ｓを形成する収納庫本体２１と、この収納庫本体２１の前面開口を回転して開閉可能とする左右の扉（図示省略）とを備えてなる周知のものである。
【００２３】
収納庫本体２１は、主として、左右に離間して設けた一対の側板２１１と、両側板２１１の後端部間に設けた背板２１２と、両側板２１１の上端部間及び下端部間に架け渡して設けた天板２１３及び底板２１４とを篭形に組み上げ、これら各板２１１、２１３、２１４によって包囲され且つ前方を開放させた収納空間２Ｓを形成しているものである。また、本実施形態においては、収納空間２Ｓを巾方向に複数の空間（図示例では巾方向に略２等分した空間）に区切る仕切板２１５を設けている。なお、説明の便宜上、以下の説明においては、仕切板２１５によって区切られた一方の収納空間を第１収納空間２Ｓａとし、他方の収納空間を第２収納空間２Ｓｂとする。
【００２４】
各板材２１１、２１３、２１４、２１５は例えば板金加工により形成しているものであり、これら各板２１１、２１３、２１４、２１５のうち、特に側板２１１及び仕切板２１５が本発明の壁部材としての役割を担う。各側板２１１の内側面及び仕切板２１５の両側面には、高さ方向に沿って複数のフック孔２Ｈを所定のピッチで設けている。各フック孔２Ｈは、側板２１１又は仕切板２１５の一部を切り開けてなるものであり、前後に所定距離離間させて複数列（図示例では２列）設けている。このフック孔２Ｈに、係合爪Ｋが係合するように設定し、この係合爪Ｋを介して側板２１１と仕切板２１５の間に一又は複数の図示しない棚板を取付可能に構成するとともに、係合爪Ｋを係合させるフック孔２Ｈを変更することにより棚板の取付高さ位置を変更できるように構成している。
【００２５】
一方、袋体保持具１は、図３及び図４に示すように、開口した袋体３の開口縁部を保持する保持具本体１１と、前記係合爪Ｋに係合可能な係合部１１２ｃとを備えたものである。なお、図３（ａ）、（ｂ）、（Ｃ）は、それぞれ袋体保持具１の平面図、正面図、側面図である。
【００２６】
保持具本体１１は、第１収納空間２Ｓａ又は第２収納空間２Ｓｂの前後に一対にして配される第１フレーム部材１１１と、第１収納空間２Ｓａ又は第２収納空間２Ｓｂの左右に一対にして配される第２フレーム部材１１２とを平面視略矩形状に組み付けたものである。
【００２７】
第１フレーム部材１１１は、板金素材を塑性変形加工等して形成したものであって、第１収納空間２Ｓａ又は第２収納空間２Ｓｂの巾方向に沿って延びる水平片１１１ａと、この水平片１１１ａの長手方向に沿った各縁部からそれぞれ垂下してなる第１垂下片１１１ｂ及び第２垂下片１１１ｃとを一体に有する側面視略下向きコ字状をなす。そして、第１垂下片１１１ｂを第２垂下片１１１ｃより大きい高さ寸法に設定するとともに、第１垂下片１１１ｂの両端部にそれぞれ長孔１１１ｄを形成している。本実施形態では、この長孔１１１ｄを各端部にそれぞれ一対設けている（図３（ｂ）参照）。
【００２８】
第２フレーム部材１１２は、板金素材を塑性変形加工等して形成したものであって、第１収納空間２Ｓａ又は第２収納空間２Ｓｂの奥行き方向に沿って起立姿勢で延びる起立片１１２ａと、この起立片１１２ａの両端部から他方の第２フレーム部材１１２に向かって延び、第１フレーム部材１１１に接続可能な接続片１１２ｂとを一体に有する平面視略コ字状をなす。起立片１１２ａに、前記係合爪Ｋに係合する係合部１１２ｃを設けている。本実施形態では、係合部１１２ｃとして、起立片１１２ａの一部を切り欠いて形成し且つ係合爪Ｋに引っ掛かり得る引掛部１１２ｃを適用している。この引掛部１１２ｃを起立片１１２ａの両端部近傍部位にそれぞれ形成するとともに、引掛部１１２ｃ間の離間距離を、前記フック孔２Ｈの前後方向に沿った離間距離に対応させている。また、各接続片１１２ｂには、第１フレーム部材１１１の第１垂下片１１１ｂに形成した長孔１１１ｄに対応させてネジ孔１１２ｄを一対形成してある（図３（ｂ）参照）。
【００２９】
このような構成をなす第１フレーム部材１１１及び第２フレーム部材１１２とを組み付けるには、先ず、一対の第１フレーム部材１１１を、各第１垂下片１１１ｂが外方側に位置するように位置付け、一対の第２フレーム部材１１２を、各接続片１１２ｂがそれぞれ第１フレーム部材１１１の両端部に重合するように位置付ける。具体的には、第２フレーム部材１１２の各接続片１１２ｂをそれぞれ第１フレーム部材１１１の第１垂下片１１１ｂと第２垂下片１１１ｃとの間に配する。次いで、第１垂下片１１１ｂの長孔１１１ｄと接続片１１２ｂのネジ孔１１２ｄとを一致させ、第１垂下片１１１ｂ側から長孔１１１ｄに挿入したネジＮをネジ孔１１２ｄに螺着することにより、一対の第１フレーム部材１１１と一対の第２フレーム部材１１２とを平面視略矩形状に組み付けた袋体保持具１が形成される。本実施形態では、この袋体保持具１を構成する保持具本体１１の平面視形状を、第１収納空間２Ｓａ又は第２収納空間２Ｓｂの平面視形状より若干小さい略相似形に設定している。
【００３０】
この袋体保持具１に保持される袋体３は、上方を開口した概略直方体状をなす有底のものであり、本実施形態では、この袋体３を樹脂製品としている。また図２に示すように、袋体３の前面部３１及び後面部３２の各上縁部（換言すれば袋体３の前面側及び後面側における開後縁部）に、前記第１フレーム部材１１１の外形より若干大きな内径をもつ筒部３ａを設け、これら筒部３ａが袋体３の各側面部３３の上縁部（換言すれば袋体３の両側面における開口縁部）よりも上方に位置するように設定している。この袋体３は、主としてゴミ収集用袋として利用されるものである。
【００３１】
この袋体３を袋体保持具１に取り付けるには、第１フレーム部材１１１と第２フレーム部材１１２とを組み付ける前に、各第１フレーム部材１１１をそれぞれ袋体３の筒部３ａに挿入し、その後、前述した手順で第１フレーム部材１１１と第２フレーム部材１１２とを組み付けることにより行う。組付状態において、各第１フレーム部材１１１はそれぞれ筒部３ａに略被覆される一方、各第２フレーム部材１１２は袋体３の各側面部３３の上方に表出している。なお、袋体３の筒部３ａが、袋体３の成形時に筒状に形成されたものではなく、前面部３１及び後面部３２の各上端から延出する延出部の片面に設けた第１係合部材（面ファスナ、ボタン等）と、前面部３１及び後面部３２の上端部に設けた第２係合部材とを相互に係合させることによって筒状に形成可能なものであれば（図示省略）、第１フレーム部材１１１と第２フレーム部材１１２とを組み付けた後、各第１フレーム部材１１１にそれぞれ延出部を巻き付けて係合部材同士を係合させることにより、袋体３を袋体保持具１に取り付けても構わない。
【００３２】
しかして、袋体３の開口縁部に設けた筒部３ａを第１フレーム部材１１１に巻き付けた状態で保持する袋体保持具１を、複数のフック孔２Ｈから選択したフック孔２Ｈに係合させた係合爪Ｋを利用して側板２１１及び仕切板２１５に取り付けることにより収集装置Ｘが形成される（図１参照）。この取付作業は、具体的には、第２フレーム部材１１２に形成した引掛部１１２ｃをそれぞれ同じ高さ位置のフック孔２Ｈに係合した係合爪Ｋに引っ掛けることにより行う。このようにして袋体保持具１を第１収納空間２Ｓａ又は第２収納空間２Ｓｂに備え付けた状態において、袋体３は開口した状態となり、一方の第１フレーム部材１１１と背板２１２との間に袋体３の開口縁部に設けた筒部３ａが介在している。
【００３３】
以上のような構成を有する収集装置Ｘは、袋体保持具１の引掛部１１２ｃと側板２１１及び仕切板２１５のフック孔２Ｈに係合する係合爪Ｋとにより、袋体保持具１を側板２１１に係合させる本発明の係合手段を構成している。また、係合爪Ｋを一のフック孔２Ｈとは異なる高さ位置にあるフック孔２Ｈに係合することにより、この係合爪Ｋを介して側板２１１及び仕切板２１５に取り付けられる袋体保持具１の取付高さ位置を変更することができる。このように、側板２１１及び仕切板２１５に形成した複数のフック孔２Ｈと、係合爪Ｋと、袋体保持具１の引掛部１１２ｃとにより、係合手段を利用して袋体保持具１を側板２１１及び仕切板２１５に取り付ける高さ位置を調整可能な本発明の取付高さ位置調整手段を構成している。
【００３４】
このように、本発明の収集装置Ｘを構成する袋体保持具１は、極めて簡素なフレーム状のものであるため、部品点数の削減及びコストダウンを有効に図ることができるとともに、取扱性に優れ、誰でも簡単に第１収納空間２Ｓａ又は第２収納空間２Ｓｂに設置することができる。しかも、袋体３に収集されたゴミを回収する場合には、袋体保持具１を一旦上方に持ち上げることによって引掛部１１２ｃと係合爪Ｋとの係合状態を解除し、袋体３ごと袋体保持具１を第１収納空間２Ｓａ又は第２収納空間２Ｓｂから取り出すことができ、便利である。
【００３５】
また、収納空間２Ｓに備え付けた状態において、一方の第１フレーム部材１１１と背板２１２との間に袋体３の開口縁部近傍部位に設けた筒部３ａが介在しているため、第１フレーム部材１１１と背板２１２とが直接当たることがなく、袋体保持具１の着脱時に生じる衝撃音を抑制し、相互の磨耗損傷を防止することができる。また、第１フレーム部材１１１と背板２１２との間に袋体３の一部を介在させることにより、この袋体３が第１フレーム部材１１１と背板２１２との隙間を埋めるスペーサとして機能し、袋体保持具１の第１収納空間２Ｓａ又は第２収納空間２Ｓｂでの移動を規制することが可能である。
【００３６】
しかも、保持具本体１１の平面視形状が、第１収納空間２Ｓａ又は第２収納空間２Ｓｂの平面視形状より若干小さい略相似形となるように設定しているため、袋体保持具１を第１収納空間２Ｓａ又は第２収納空間２Ｓｂに備え付けた場合に無駄な空間が生じることを抑制し、第１収納空間２Ｓａ又は第２収納空間２Ｓｂを最大限有効利用することができる。また、第１収納空間２Ｓａ又は第２収納空間２Ｓｂを最大限有効利用する一方、執務スペースを何ら狭めることがなく有効に活用することができる。
【００３７】
特に、引掛部１１２ｃが保持具本体１１の一部を切り欠いて形成したものであるため、簡単に形成することができ、製造工程の簡素化に資する。
【００３８】
また、第１収納空間２Ｓａ又は第２収納空間２Ｓｂの前後に一対にして配される第１フレーム部材１１１と、第１収納空間２Ｓａ又は第２収納空間２Ｓｂの左右に一対にして配される第２フレーム部材１１２とを平面視略矩形状に組み付けてなるものであるため、平面視略矩形状のフレームを一体成形する態様と比較して、金型の大型化を回避し製造コストの削減を図ることができる。
【００３９】
一方、このような効果を奏する袋体保持具３を用いてなる収集装置Ｘは、係合手段によって袋体保持具１を側板２１１及び仕切板２１５に安定支持させることができるとともに、取付高さ位置調整手段によって使用者の使用態様に合わせて袋体保持具１の取付高さ位置を適宜調節することができ、実用性に優れたものとなる。また、前述した構成を有する既存の収納庫２に収集装置Ｘを適用しているので、図示しない左右の扉を開けて袋体３にゴミを入れる又は袋体３に入っているゴミを回収する作業を簡単に行うことができることは勿論のこと、普段は図示しない左右の扉によって前面開口を閉止することによりオフィス等における美観を損なうことがない。
【００４０】
加えて、前記係合手段を構成する係合爪Ｋが側板２１１及び仕切板２１５に形成したフック孔２Ｈに係合可能なものであり、これら側板２１１及び仕切板２１５の高さ方向に沿ってフック孔２Ｈを所定のピッチで複数形成し、取付高さ調整手段が、係合爪Ｋを前記複数のフック孔２Ｈの何れかに選択的に取り付けることにより側板２１１及び仕切板２１５に対する袋体保持具１の取付高さ位置を調整可能にしたものであるので、簡単な構造を採用して取付高さ位置調整手段を構成することができ、収集装置Ｘ全体の構造簡素化に資する。
【００４１】
しかも、係合爪Ｋが、フック孔２Ｈを利用して第１収納空間２Ｓａ又は第２収納空間２Ｓｂを所定の高さ位置で仕切り得る図示しない棚板を取り付ける際に用いるものであるため、既存のフック孔２Ｈ及び係合爪Ｋを利用して袋体保持具１を側板２１１及び仕切板２１５に取り付けることができ、収納庫２の用途拡大を実現し、使用者の使用用途に柔軟に対応することが可能となる。
【００４２】
なお、本発明は、以上に詳述した実施形態に限られるものではない。
【００４３】
例えば、上記実施形態では袋体保持具１が保持する袋体３として、保形性を有するボックス型のものを図示したが、これに限らず、例えば市販されている保形性を有さない通常のゴミ袋３’を用いてもよい。この場合、図５、図６及び図７に示すように、袋体３’の開口縁部３’Ａを袋体保持具１の保持具本体１１全体に巻き付け、引掛部１１２ｃを係合爪Ｋを介して側板２１１と仕切板２１５とに引っ掛けることにより、第１収納空間２Ｓａ又は第２収納空間２Ｓｂに袋体３’を開口した状態で備える付けることができる。なお、袋体は、上述したこれらゴミ収集用袋に限らず、図示しない例えば投函用袋や各種収納袋等、内部に物を入れるようにした種々の袋状のものであればよく、布製、革製或いは紙製等その素材も特に問わない。これら各タイプの袋体をも前記袋体保持部１に開口した状態で保持させることができる。
【００４４】
また、袋体保持具１に、保持具本体１１の平面視形状を調整可能な平面形状調整手段を設けてもよい。例えば、図８に図示するように（なお、同図（ａ）は平面形状調整手段を備えた袋体保持具Ａ１を一部拡大して示す斜視図であり、同図（ｂ）は同袋体保持具Ａ１の平面を模式的に示す図である）、平面視略直線状の第１フレーム部材Ａ１１１と平面視略直線状の第２フレーム部材Ａ１１２とを平面視略Ｌ字状のコーナー部材Ａ１１３を介して接続するようにし、コーナー部材Ａ１１３と各フレーム部材Ａ１１１、Ａ１１２との重合度合いを変更することにより、対向する第１フレーム部材Ａ１１１間の離間距離又は第２フレーム部材Ａ１１２間の離間距離の何れか一方又は両方を調整できるようにしたものが挙げられる。具体的には、コーナー部材Ａ１１３に所定のピッチで複数のネジ孔Ａ１１３ａを形成するとともに、各フレーム部材Ａ１１１、Ａ１１２の両端部に一又は複数（図示例では２つ）の貫通孔Ａ１１１ａ、Ａ１１２ａを形成し、前記複数のネジ孔Ａ１１３ａから選択したネジ孔Ａ１１３ａと貫通孔Ａ１１１ａ（ネジ孔Ａ１１３ａと貫通孔Ａ１１２ａ）とが一致するように各フレーム部材Ａ１１１、Ａ１１２とコーナー部材Ａ１１３とをそれぞれ重合させ、貫通孔Ａ１１１ａ（Ａ１１２ａ）に挿入したネジＮをネジ孔Ａ１１３ａに螺着することにより、保持具本体Ａ１１の平面視形状を所望の寸法に設定できるようにしている。また、平面形状調整手段の変形例として、図９に示すものが挙げられる。同図（ｃ）にその平面を模式的に示す袋体保持具Ｂ１は、平面視略Ｌ字状の第１フレーム部材Ｂ１１１と平面視略Ｌ字状の第２フレーム部材Ｂ１１２とを平面視略矩形状に組み付けたものであり、各フレーム部材Ｂ１１１、Ｂ１１２の重合度合いを変更することにより、対向する第１フレーム部材Ｂ１１１間の離間距離又は第２フレーム部材Ｂ１１２間の離間距離の何れか一方又は両方を調整できるようにしている。具体的には、何れか一方のフレーム部材Ｂ１１１（Ｂ１１２）に所定のピッチで複数のネジ孔を形成するとともに、他方のフレーム部材Ｂ１１２（Ｂ１１１）の両端部に一又は複数の貫通孔を形成し、前記複数のネジ孔から選択したネジ孔と貫通孔とが一致するように各フレーム部材Ｂ１１１、Ｂ１１２同士を重合させ、貫通孔に挿入したネジをネジ孔に螺着することにより、保持具本体Ｂ１１の平面視形状を所望の寸法に設定できるようにしている。なお、同図（ｄ）は（ｃ）のＡ−Ａ線端面図である。
【００４５】
また、例えば、図９（ｅ）に示す袋体保持具Ｃ１は、対向する第１フレーム部材Ｃ１１１間の離間距離又は第２フレーム部材Ｃ１１２間の離間距離の何れか一方のみを調整できるようにした平面形状調整手段を備えたものである。この袋体保持具Ｃ１は、平面視略直線状をなす一対の第１フレーム部材Ｃ１１１と、平面視略コ字状をなす一対の第２フレーム部材Ｃ１１２とを平面視略矩形状に組み付けたものであり、第１フレーム部材Ｃ１１１に対する第２フレーム部材Ｃ１１２の重合度合いを変更することにより、第２フレーム部材Ｃ１１２間の離間距離を調整できるようにしたものである。なお、第１フレーム部材Ｃ１１１と第２フレーム部材Ｃ１１２との関係が逆であっても勿論構わない。一方、同図（ｆ）に示す袋体保持具Ｄ１は、共に平面視略コ字状をなす一の第１フレーム部材Ｄ１１１と一の第２フレーム部材Ｄ１１２とを対向させて平面視略矩形状に組み付けたものであり、第１フレーム部材Ｄ１１１と第２フレーム部材Ｄ１１２との重合度合いを変更することにより、第１フレーム部材Ｄ１１１と第２フレーム部材Ｄ１１２との離間距離を調整できるようにしたものである。同図（ｅ）におけるＢ−Ｂ線端面及び同図（ｆ）におけるＣ−Ｃ線端面は、それぞれ図９（ｄ）と略対応している。なお、図８及び図９に示す第１フレーム部材Ａ１１１、Ｂ１１１、Ｃ１１１、Ｄ１１１、第２フレーム部材Ａ１１２、Ｂ１１２、Ｃ１１２、Ｄ１１２、及びコーナー部材Ａ１１４の形状は一例であり、これに限られないことは言うまでもなく、各部材同士をネジを用いずに留める態様を採用してもよい。
【００４６】
このような各種平面形状調整手段を備えることにより、袋体保持具Ａ１、Ｂ１、Ｃ１、Ｄ１を設置する収納空間の内寸又は袋体の開口形状に対応するように保持具本体Ａ１、Ｂ１、Ｃ１、Ｄ１の平面視形状を調整することができ、汎用性に優れたものとなり、幅広い使用態様に対応可能なものとなる。このように、平面形状調整手段を設けることによって、収納庫の内部の大きさや袋体のサイズに柔軟に対応することができる。
【００４７】
また、前記実施形態における収納庫が側板を設けたものではない場合には、対向する側板間に係合部（引掛部）を利用して袋体保持具を配置すればよい。また、袋体の高さ寸法（深さ）によっては収納空間の高さ方向に沿って複数の袋体保持具を配置することも可能である。この場合、各袋体に収集する収容物を所定の種類（分類）毎に分けるようにすれば、一の収納空間内で分別収集が可能となる。また、一の収納空間を一又は複数の仕切板によって複数の収納空間に区切った場合、各収納空間にそれぞれ袋体保持具を設置してもよく、或いは、選択した収納空間に袋体保持具を配置する一方、それ以外の収納空間に棚板等を適宜配置し通常の収納庫として活用するようにしても構わない。
【００４８】
また、上記実施形態では袋体保持具１を側板２１１又は仕切板２１５に係合可能な係合部として、一部を切り欠いた引掛部１１２ｃを採用しているが、例えば、係合部として棚板２１１又は背板２１５に設けたフック孔２Ｈに直接係合可能な係合爪を採用してもよい。この場合、前記係合爪Ｋに略相当する部材を袋体保持具１に一体的又は一体に設ければよい。このような態様を採用した場合、本発明の係合手段は、袋体保持具１に設けた係合爪と、棚板２１１又は背板２１５に設けたフック孔２Ｈとから構成されることになる。一方、棚板２１１又は背板２１５にフック孔２Ｈの換わりに前記係合爪Ｋに略相当する係合爪を一体的又は一体に設け、この係合爪と袋体保持具１の引掛部１１２ｃとにより係合手段を構成しても構わない。この場合、係合爪を棚板２１１又は背板２１５の高さ方向に沿って所定ピッチで複数設け、これら複数の係合爪のうち選択した係合爪に引掛部１１２ｃを引っ掛けることによって袋体保持具の取付高さ位置を調整することができるようにすればよい。
【００４９】
また、袋体保持具１は、図示した収納庫２にのみ適用可能なものではなく、例えば引き違い戸タイプやオープンタイプ、或いは引き出し式タイプ等あらゆるタイプの収納庫に適用することができるものである。さらには、収納庫以外の物品であって、収納空間を包囲し得る一又は複数の壁部材を有する物品であれば、前記一又は複数の壁部材を利用して袋体保持具を収納空間に配置することができる。
【００５０】
その他、各部の具体的構成についても上記実施形態に限られるものではなく、本発明の趣旨を逸脱しない範囲で種々変形が可能である。
【図面の簡単な説明】
【００５１】
【図１】本発明の一実施形態に係る収集装置を適用した収納庫を一部省略して示す全体斜視図。
【図２】図１の分解斜視図。
【図３】同実施形態に係る袋体保持具の全体斜視図。
【図４】同三面図。
【図５】同実施形態に他の袋体を適用した収納庫を一部省略して示す全体斜視図。
【図６】図５の分解斜視図。
【図７】同実施形態に他の袋体を適用した収納庫を一部省略して模式的に示す図。
【図８】同実施形態に係る袋体保持具の変形例を示す図。
【図９】同実施形態に係る袋体保持具の他の変形例を示す図。
【符号の説明】
【００５２】
１、Ａ１、Ｂ１、Ｃ１、Ｄ１…袋体保持具
１１、Ａ１１、Ｂ１１、Ｃ１１、Ｄ１１…保持具本体
１１１、Ａ１１１、Ｂ１１１、Ｃ１１１、Ｄ１１１…第１フレーム部材
１１２、Ａ１１２、Ｂ１１２、Ｃ１１２、Ｄ１１２…第２フレーム部材
１１２ｃ…係合部（引掛部）
２…収納庫
２１１、２１５…壁部材（側板、仕切板）
２Ｈ…フック孔
２Ｓ（２Ｓａ、２Ｓｂ）…収納空間（第１収納空間、第２収納空間）
３、３’…袋体
３’Ａ…開口縁部
Ｋ…係合爪
Ｘ…収集装置
【図１】
2006199472.tif 000003
【図２】
2006199472.tif 000004
【図３】
2006199472.tif 000005
【図４】
2006199472.tif 000006
【図５】
2006199472.tif 000007
【図６】
2006199472.tif 000008
【図７】
2006199472.tif 000009
【図８】
2006199472.tif 000010
【図９】
2006199472.tif 000011